【手続補正書】
【提出日】平成24年9月4日(2012.9.4)
【手続補正１】
【補正対象書類名】特許請求の範囲
【補正対象項目名】全文
【補正方法】変更
【補正の内容】
【特許請求の範囲】
【請求項１】
左眼用フレーム画像データ及び右眼用フレーム画像データからなる映像データを表示部にユーザが立体視可能に表示する映像処理装置において、
１組の左眼用フレーム画像及び右眼用フレーム画像の眼幅方向の画像のずれ量である視差量の単位時間当たりの変化率を、所定期間の映像データから取得する取得手段と、
前記変化率を取得した前記所定期間の映像データを表示した場合に、当該映像データが所定の閾値以上の変化率でユーザに近づくように立体視される物体を含む映像データであるか否かを判定する判定手段と、
前記判定手段において前記所定の閾値以上の変化率でユーザに近づくように立体視される物体を含む映像データであると判定された場合、前記立体視される物体が、前記取得手段で取得した変化率よりも小さい変化率でユーザに近づくように立体視されるように、前記映像データを表示する際に用いる表示用視差量を決定する制御を行う制御手段と、
決定された前記表示用視差量を用いて、左眼用フレーム画像及び右眼用フレーム画像からなる映像データを調整する調整手段と、
前記調整手段で調整された前記映像データを前記表示部に出力する出力手段と、
を有することを特徴とする映像処理装置。
【請求項２】
前記取得手段は、左眼用フレーム画像及び右眼用フレーム画像を所定数に分割したブロック領域の前記変化率を取得し、
前記制御手段は、所定の閾値以上の変化率を示すブロック領域を着目領域として決定し、前記着目領域における変化率から前記表示用視差量を決定する制御を行うことを特徴とする請求項１に記載の映像処理装置。
【請求項３】
前記制御手段は、所定の閾値以上の変化率を示す前記ブロック領域の中から、左眼用フレーム画像及び右眼用フレーム画像内における前記ブロック領域の位置に応じた重み付けを行って前記着目領域を決定し、前記着目領域における変化率から前記表示用視差量を決定する制御を行うことを特徴とする、請求項２に記載の映像処理装置。
【請求項４】
前記映像データに付与されたメタデータを取得することにより、又は映像データを解析することにより、前記映像データに含まれる立体視される物体のうち特定のオブジェクトを認識する認識手段を更に有し、
前記取得手段は、前記認識手段により認識された特定のオブジェクトの視差量の変化率を取得し、
前記制御手段は、前記取得された前記特定のオブジェクトの変化率が所定の閾値以上の場合、当該特定のオブジェクトを表示する際に用いる表示用視差量を、当該特定のオブジェクトのサイズ、映像データにおける当該特定のオブジェクトの位置、当該特定のオブジェクトの移動方向の少なくとも１つを用いて決定する制御を行うことを特徴とする、請求項１乃至３のいずれか一項に記載の映像処理装置。
【請求項５】
前記制御手段において、前記取得手段で変化率を取得した左眼用フレーム画像及び右眼用フレーム画像における調整前視差量と、前記左眼用フレーム画像及び右眼用フレーム画像の前記表示用視差量との差を取得し、前記差分が時間経過と共に減少していくように前記表示用視差量を決定する制御を行うことを特徴とする、請求項１乃至４のいずれか一項に記載の映像処理装置。
【請求項６】
左眼用フレーム画像データ及び左眼用フレーム画像データからなる映像データを表示部に立体視可能に表示する映像処理装置の制御方法において、
１組の左眼用フレーム画像及び右眼用フレーム画像の眼幅方向の画像のずれ量である視差量の単位時間当たりの変化率を、所定期間の映像データから取得する取得ステップと、
前記変化率を取得した前記所定期間の映像データを表示した場合に、当該映像データが所定の閾値以上の変化率でユーザに近づくように立体視される物体を含む映像データであるか否かを判定する判定ステップと、
前記判定ステップにおいて前記所定の閾値以上の変化率でユーザに近づくように立体視される物体を含む映像データであると判定した場合、前記立体視される物体が前記取得ステップにおいて取得した変化率よりも小さい変化率でユーザに近づくように立体視されるように、前記映像データを表示する際に用いる表示用視差量を決定する制御を行う制御ステップと、
決定された前記表示用視差量を用いて、左眼用フレーム画像及び右眼用フレーム画像からなる映像データを調整する調整ステップと、
前記映像データを前記表示部に出力する出力ステップと、
を有することを特徴とする映像処理装置の制御方法。
【請求項７】
前記取得ステップでは、左眼用フレーム画像及び右眼用フレーム画像を所定数に分割したブロック領域の前記変化率を取得し、
前記制御ステップでは、所定の閾値以上の変化率を示すブロック領域を着目領域として決定し、前記着目領域における変化率から前記表示用視差量を決定する制御を行うことを特徴とする請求項６に記載の映像処理装置の制御方法。
【請求項８】
前記制御ステップでは、所定の閾値以上の変化率を示す前記ブロック領域の中から、左眼用フレーム画像及び右眼用フレーム画像内における前記ブロック領域の位置に応じた重み付けを行って前記着目領域を決定し、前記着目領域における変化率から前記表示用視差量を決定する制御を行うことを特徴とする、請求項７に記載の映像処理装置の制御方法。
【請求項９】
前記映像データに付与されたメタデータを取得することにより、又は映像データを解析することにより、前記映像データに含まれる立体視される物体のうち特定のオブジェクトを認識する認識ステップを更に有し、
前記取得ステップでは、前記認識ステップにおいて認識した特定のオブジェクトの視差量の変化率を取得し、
前記制御ステップでは、前記取得された前記特定のオブジェクトの変化率が所定の閾値以上の場合、当該特定のオブジェクトを表示する際に用いる表示用視差量を、当該特定のオブジェクトのサイズ、映像データにおける当該特定のオブジェクトの位置、当該特定のオブジェクトの移動方向の少なくとも１つを用いて決定する制御を行うことを特徴とする、請求項６乃至８のいずれか一項に記載の映像処理装置の制御方法。
【請求項１０】
前記制御ステップでは、前記取得ステップにおいて変化率を取得した左眼用フレーム画像及び右眼用フレーム画像における調整前視差量と、前記左眼用フレーム画像及び右眼用フレーム画像の前記表示用視差量との差を取得し、前記差分が時間経過と共に減少していくように前記表示用視差量を決定する制御を行うことを特徴とする、請求項６乃至９のいずれか一項に記載の映像処理装置の制御方法。
【手続補正２】
【補正対象書類名】明細書
【補正対象項目名】０００７
【補正方法】変更
【補正の内容】
【０００７】
上記目的を達成するために、本発明の映像処理装置は、１組の左眼用フレーム画像及び右眼用フレーム画像の眼幅方向の画像のずれ量である視差量の単位時間当たりの変化率を、所定期間の映像データから取得する取得手段と、前記変化率を取得した前記所定期間の映像データを表示した場合に、当該映像データが所定の閾値以上の変化率でユーザに近づくように立体視される物体を含む映像データであるか否かを判定する判定手段と、前記判定手段において前記所定の閾値以上の変化率でユーザに近づくように立体視される物体を含む映像データであると判定された場合、前記立体視される物体が、前記取得手段で取得した変化率よりも小さい変化率でユーザに近づくように立体視されるように、前記映像データを表示する際に用いる表示用視差量を決定する制御を行う制御手段と、決定された前記表示用視差量を用いて、左眼用フレーム画像及び右眼用フレーム画像からなる映像データを調整する調整手段と、前記調整手段で調整された前記映像データを前記表示部に出力する出力手段と、を有する。